(57)【要約】      （修正有）【課題】自動車を運転する時に、少しでも雨が降る場合には、ワイパーが無くても困らないような課題が有る。【解決手段】自動車を運転する時に雨が降る場合に、フロントガラにワイパーが無くても困らないようにするには、自動車の屋根の上の前の方に、視界の幅の範囲が広い高性能のカメラを取り付けて、自動車の前の景色が映るように、高性能の断熱シートと、透明な膜を一緒に密着したディスプレイが、フロントガラスの内側に貼り付けてあり、自動車の走る前の景色が人の目で見るよりは、フロントガラスに映る景色の方が、前の景色が透明な膜の画面に映るので、フロントガラス越しに見える、自動車の前の景色が、良く見えるようにした。【選択図】図１
2019111961.tif 000002
【特許請求の範囲】
【請求項１】
今現在世界中で使われている自動車には、雨が時々降る時に、雨の水滴などを拭き払う為の、フロントワイパーが有るのが普通だが、フロントワイパーが無くても困らないようにする為に、視界の範囲が広く映る高性能のカメラを、自動車の屋根の上の前の方に少し斜め下向き取り付けて、高性能のカメラのレンズが曇る場合と、雪や雨の水滴などで汚れるといけないので、それを防ぐために強列な勢いの風を送る為に、電動モーター着きのファンを取り着けて、その後電動モーターでファンを回転させて、強列な勢いの風で高性能のカメラのレンズに向けて、高性能のカメラのレンズ曇る場合と、雪や雨の水滴などで汚れ無いように、視界の範囲が広い高性能のカメラより、前に長く伸びたカバーで囲い、前に長く伸びたカバーの内側の上側に、強烈な風が勢いよく吹き出す、電動モーター着きのフアンを取り付けて、高性能のカメラのレンズが曇る場合と、雪や雨の水滴などの汚れを吹き飛ばして、フロントガラスの窓越しに自動車の前の景色が見えたのを、自動車の前の景色が自動車のフロントガラスに映るように、透明な断熱シートと透明な膜を一緒に密着したディスプレイを、フロントガラスの内側に貼り着けて、自動車の走る前の景色が、普通の人の目で見るよりは、フロントガラスに映る景色の方が、自動車の前の景色が、透明な断熱シートと、透明な膜のディスプレイに映る画像が、良く見えるようにした工夫した自動車。
【請求項２】
自動車のリヤーガラスの窓越しに見える景色が、自動車が後ろにバックする時に必要な、リヤーワイパーが無くても、歩いている人や、自転車に乗って走っている人を轢いてしまうような事が無いように、また色んな建造物などに衝突する事が無いように、自動車の屋根の上の後ろの方に、視界の広い高性能のカメラを取り付けて、視界の広い高性能のカメラのレンズが曇ったり、雪や雨の水滴などで汚れるといけないので、カバーで囲いカメラのレンズが曇ったり、雪や雨の水滴などで汚れ無いようにして、運転席の前に有るフロントガラスの透明な膜のディスプレイに、後ろの窓の外の景色が、フロントガラスに透明な断熱シートと、透明な膜のディスプレイの画面に、自動車の後ろの景色の画像が映るように工夫した自動車。
【請求項３】
視界の幅の範囲が広い高性能のカメラに映る画像を、カーナビの液晶画面で見るのを、フロントガラスの窓の下の方に映して見れば、わざわざ自動車の運転中に、フロントガラスの窓と、カーナビを使う場合に、カーナビの液晶画面への視線を一々変えないので、自動車の運転が安全に出来るように工夫した自動車。
【発明の詳細な説明】
【技術分野】
【０００１】
雨が時々降る時に、雨の水滴を拭き払うための、フロントワイパーが無くても困ら無いように工夫して、そこで気付いたのが、自動車の屋根の上に、視界の範囲が広い高性能のカメラを取り付けて、自動車の前の景色が、フロントガラスに透明な断熱シートと、透明な膜のディスプレイに、自動車の前の景色の画像が、映るような技術を使って解決をした。
【背景技術】
【０００２】
雨が降る時に、自動車のフロントワイパーや、リヤーワイパーが無いと非常に困るので、フロントワイパーや、リヤーワイパーが無くても、困らないようにする為に、人の目で見るのを止めて、自動車の屋根上に、視界の範囲が広い高性能のカメラを取り付けて、フロントガラスに透明な断熱シートと、透明な膜にディスプレイが貼り付けて有るので、フロントガラスに透明な断熱シートと、透明な膜に映る画像を見る事にすれば、フロントワイパーや、リヤーワイパーが無くても、自動車の運転が出来るように工夫した。
【先行技術文献】
【特許文献】
【０００３】
特許文献は０件。
【発明の概要】
【発明が解決しようとする課題】
【０００４】
自動車を運転する場合には、雨が降る時にワイパーが無いと、雨が降る時に自動車の前の景色が見辛いので、それを解決する為の課題は、その考え方を根本的に変えて自動車の屋根の上の前の方に、視界の範囲が広い高性能のカメラを取り付けて、視界の範囲が広い高性能のカメラで映る画像を、フロントガラスに透明な断熱シートと、透明な膜を一緒に密着したディスプレイが、透明なフロントガラスの内側に貼り付けて有るので、自動車の前の景色の画像が見えるように工夫した。  
また視界の範囲が広い高性能のカメラが故障した時や、その他の箇所でトラブルが起きた時に困らないように、自動車のフロントガラス越しに見える景色が、フロントガラスの透明な断熱シートと、透明な膜を一緒に密着したディスプレイが、フロントガラスの内側に貼り着けてあるので、自動車のフロントガラス越しに見える景色が、見え無くなるような課題を解決するために、フロントガラスに透明な断熱シートと、透明なディスプレイを一緒に密着して、フロントガラスの内側に貼り付けて有り、自動車のフロントガラス越しに見える景色が、少し見えづらく無くなる事があるかも知れない。
【課題を解決するための手段】
【０００５】
雨が降る時に自動車を運転するには、フロントガラスにワイパーが無いと、自動車の前の景色が見辛いので、色んな課題を解決する手段として、自動車の屋根の上の前の方に、視界の範囲が広い高性能のカメラを取り付けて、視界の範囲が広い高性能のカメラに映る、自動車前の景色が映る画像を、フロントガラスの透明な断熱シートと、透明な膜を一緒に密着したディスプレイが、フロントガラスの内側に貼り着けてあり、透明な膜のディスプレイに画像が映るにようにして解決をした。
【発明の効果】
【０００６】
今の自動車のフロントガラスに着いている、雨が降る時にワイパーが無いと、自動車の前の景色が見辛くて非常に困るので、その考え方を根本的に変えて自動車の屋根の上の前の方に、視界の範囲が広い高性能のカメラを取り付けて、視界の範囲が広い高性能のカメラに、自動車の前の景色が映る画像を、フロントガラスの透明な断熱シートと、透明な膜のディスプレイを一緒に密着して、フロントガラスの内側に貼り付けて有り、自動車の前の景色見える範囲が広い画像を、フロントガラス映るにようにしたので、この発明の効果は雨が降る時には、いくらワイパーで雨の水滴を拭き払っても、雨の水滴で自動車の前の景色が見辛くてなるし、また雨が猛烈に降る時には、いくらワイパーを早く動かしても、殆ど自動車の前の景色が見えないくらいになるので、自動車の屋根の上の前の方に、視界の範囲が広い高性能のカメラを取り付けて、自動車の前の景色の画像を、フロントガラスに映るにようにしたのが効果的で、また自動車を運転している時に、一々フロントガラスの窓越しに自動車の前の景色を見る時や、自動車を運転中にカーナビを使う時には、カーナビの画面で見るのを、フロントガラスの窓の下の方に視線を移して見るのを、わざわざ自動車の運転中に、フロントガラスの窓と、カーナビの画面を見る視線を一々変えないので、自動車の運転が安全運転出来るようにした。  
【図面の簡単な説明】
【０００７】
【図１】自動車の左側面図。
【発明を実施するための形態】
【０００８】
この発明の目的は、雨が降る時に自動車を運転するには、３のフロントガラスにワイパーが無いと、自動車の前の景色が全く見え無いので大変非常に困るから、その考え方を変えて自動車の屋根の上前の方に取り付けて、１の視界の範囲が広い高性能のカメラより、２の前に伸びた横長のカバーで囲い、前に伸びた横長のカバー内側の上に、５の電動モーターで、６のフアンを回転さして、雨の水滴を勢いよく吹き飛ばすので、高性能のカメラのレンズが曇る時と、雪や雨の水滴などの汚れを吹き飛ばし、１の視界の範囲が広い高性能のカメラで映る自動車の前の景色が映る画像を、フロントガラスに透明な断熱シートと、透明な膜を一緒に密着して、フロントガラスの内側に貼り付けてあり、自動車の前の景色がディスプレイに映るにようにした。
また自動車の、４のリヤーガラス越しに見える景色が、自動車が後ろにバックする時に必要な、リヤーワイパーが無くても、自動車の後ろ景色がフロントガラスの透明な膜のディスプレイに画像が映るように工夫した。
【符号の説明】
【０００９】
１、高性能のカメラ。  
２、カメラを囲む横長のカバー。
３、フロントガラス。
４、リヤーガラス。
５、電動モーター
６、フアン
７、自動車の左側面図と、平面図。
【図１】
2019111961.tif 000003
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
フロントワイパーを持たない自動車であって、
屋根の上の前の方に少し斜め向きに取り付けられるとともに視界の範囲が広い高性能のカメラと、
前記カメラを囲むとともに前端が前記カメラよりも前に長く伸びているカバーと、
前記カバーの内側の上面取り付けられるとともに前記カメラのレンズに向けて風を勢いよく吹き付ける電動モーター付きのファンと、
透明な断熱シート及び透明な膜を互いに蜜着させてなるとともにフロントガラスの内側に貼り付けられたディスプレイとを備え、
前記カメラで撮影して得られる自動車の前の景色を前記ディスプレイに映し出すことを特徴とする自動車。